(57)【特許請求の範囲】
【請求項１】
エレベータの乗場敷居とかご敷居との隙間を塞ぐスポンジ部材と、
前記スポンジ部材に入れられた磁石と、
を備え、
前記隙間の長手方向に沿って複数配置され得るように前記スポンジ部材の長さが調整されており、
前記磁石は、前記スポンジ部材の長手方向両端部にそれぞれ配置された２つの端部側磁石と、２つの前記端部側磁石同士の間であって２つの前記端部側磁石よりも下方位置に配置された中央側磁石とで構成され、
前記スポンジ部材には、２つの前記端部側磁石および前記中央側磁石をそれぞれ収容する磁石収容用凹部が形成され、
前記磁石の磁力により、乗りかごに設けられたエプロンに吸着固定可能にされていることを特徴とする隙間落下物吸着具。
【請求項２】
前記スポンジ部材の乗りかご出入口側の部位の上部の高さが他の部位よりも高くされていることにより、前記エプロンと前記上部との間に落下物収容用凹部が形成されていることを特徴とする請求項１に記載の隙間落下物吸着具。
【請求項３】
請求項１または２に記載の隙間落下物吸着具を備えたことを特徴とするエレベータ。
【請求項４】
前記隙間落下物吸着具の少なくとも１つは、エレベータドアが開いたときの開口部中央位置に配置されていることを特徴とする請求項３に記載のエレベータ。
【発明の詳細な説明】
【技術分野】
【０００１】
本発明の実施形態は、エレベータの乗場敷居とかご敷居との隙間を塞ぐ隙間落下物吸着具、および、それを備えたエレベータに関する。
【背景技術】
【０００２】
エレベータでは、乗場側に設置された乗場敷居と乗りかご側に設置されたかご敷居とが当接することを防止するために、また、エレベータドアの開閉装置の設置スペースを確保するために、乗りかごが着床した際に乗場敷居とかご敷居との間に隙間が形成されるようになっている。
【０００３】
このため、乗りかごが着床しドアが開いて乗員が乗り降りする際、乗員が誤って鍵等の小物を落とし、乗場敷居とかご敷居との隙間からこの小物が落下物として落下することがしばしばある。
【０００４】
このようにして隙間から落下してピットにまで到達させてしまった落下物を拾得するには、専門の技術者の拾得作業が必要であり、しかも、拾得するまでにかかる時間が長い。
【０００５】
この対策として、隙間からの落下物を受けるスポンジ部材を乗りかご側に配置することや、隙間から落下した落下物を受け止めて拾得できるように乗場敷居側に対して進退可能な拾得板を乗りかご側に配置することが提案されている。
【先行技術文献】
【特許文献】
【０００６】
【特許文献１】特開2009-227421号公報
【発明の概要】
【発明が解決しようとする課題】
【０００７】
しかし、スポンジ部材を配置する対策では、落下物を一旦受けて止めてもスポンジ部材から落下してしまうことが頻繁に生じる。また、スポンジ部材はエプロンにボンドなどの接着剤で固定されているので、スポンジ部材の交換の作業性が良くなく、交換する際に労力および時間がかかる。また、拾得板を配置する対策では、拾得板の進退動作を行う必要があり、機構が複雑になる。
【０００８】
本発明は上記課題に鑑みてなされたものであり、簡単な構成で、乗場敷居とかご敷居との隙間からの落下物を高い確率で拾得することができる隙間落下物吸着具、および、それを備えたエレベータを提供することを課題とする。
【課題を解決するための手段】
【０００９】
本発明の実施形態に係る隙間落下物吸着具は、エレベータの乗場敷居とかご敷居との隙間を塞ぐスポンジ部材と、スポンジ部材に入れられた磁石と、を備える。そして、隙間の長手方向に沿って複数配置され得るようにスポンジ部材の長さが調整されている。そして、磁石の磁力により、乗りかごに設けられたエプロンに吸着固定可能にされている。
【図面の簡単な説明】
【００１０】
【図１】第１実施形態で、隙間落下物吸着具がエプロンに配置されていることを説明する斜視図。
【図２】第１実施形態の隙間落下物吸着具を示す斜視図。
【図３】第２実施形態の隙間落下物吸着具を示す斜視図。
【図４】第３実施形態の隙間落下物吸着具を示す斜視図。
【図５】第４実施形態の隙間落下物吸着具を示す斜視図。
【発明を実施するための形態】
【００１１】
以下、添付図面を参照して、実施形態に係る隙間落下物吸着具およびエレベータを説明する。なお、第２実施形態以下では、第１実施形態で説明した構成要素と同様の構成要素には同じ符号を付してその説明を省略する。
【００１２】
［第１実施形態］
まず、第１実施形態について説明する。図１は、本実施形態で、隙間落下物吸着具がエプロンに配置されていることを説明する斜視図である。図２は、本実施形態の隙間落下物吸着具を示す斜視図である。
【００１３】
本実施形態では、エレベータ１０の乗りかご１２に一対のかごドア１４ａ、１４ｂがかご敷居１６上を水平方向に移動可能に設けられ、各階床のエレベータ乗場には一対の乗場ドア（図示せず）が乗場敷居２０上を水平方向に移動可能に設けられている。一対のかごドア１４ａ、１４ｂは、乗りかご１２に設けられたかごドア開閉機構（図示せず）を介して相反する方向にかご敷居１６上を移動可能なようになっている。
【００１４】
乗りかご１２は、かご敷居１６下方に設けられたエプロン２２と、エプロン２２の上部で乗場側表面に着脱自在に配置された隙間落下物吸着具２４とを備える。
【００１５】
隙間落下物吸着具２４は、エレベータ１０の乗場敷居２０とかご敷居１６との隙間Ｇを塞ぐスポンジ部材２６（シルスポンジ。図２参照）と、スポンジ部材２６に入れられた磁石２８とを備える。本実施形態では、スポンジ部材２６には、エプロン側に開口する磁石収容用凹部３０が形成されている。磁石２８の外面と磁石収容用凹部３０の内壁面とは、接着剤で互いに固定される構成にしてもよい。また、本実施形態では、磁石２８は、スポンジ部材２６の長手方向両端部にそれぞれ１個づつ配置されている。
【００１６】
また、本実施形態では、磁石２８の磁力により、乗りかご１２に設けられたエプロン２２に隙間落下物吸着具２４が吸着固定可能にされている。
【００１７】
また、本実施形態では、隙間落下物吸着具２４が隙間Ｇの長手方向に沿って複数配置され得るようにスポンジ部材２６の長さが調整されている。
【００１８】
（作用、効果）
以下、本実施形態の作用、効果を説明する。エプロン２２に配置された隙間落下物吸着具２４は、隙間からの落下物を下方から支えるだけでなく、磁石２８による磁力によって、磁性を有する部材を吸着して保持することができる。従って、乗りかご１２が着床しドアが開いて乗員が乗り降りする際に、乗員が誤って鍵等を落とし、隙間Ｇに落下物として落下しても、この落下物が磁性を有していると、ピットまで落下せずに磁石２８によって隙間落下物吸着具２４に吸着される確率が高くなる。そして、隙間落下物吸着具２４に吸着された落下物は、隙間Ｇからジグなどを用いて容易に取り出され、ピットの落下物を専門の技術者が拾得する必要はない。
【００１９】
しかも、本実施形態では、磁石２８の磁力により、乗りかご１２に設けられたエプロン２２に隙間落下物吸着具２４が吸着固定可能にされている。従って、従来のようにスポンジ部材２６を接着剤でエプロン２２に固定していた場合に比べ、交換作業（隙間落下物吸着具２４を交換する作業）が著しく容易であり、しかも、エプロン２２に配置した後であっても簡単に位置調節することが可能なので配置位置を高精度に設定することができ、また、接着剤が一部剥がれることでスポンジ部材が昇降路内の他の機器と接触して異音が発生するような事態は解消される。
【００２０】
また、本実施形態では、隙間落下物吸着具２４が隙間Ｇの長手方向に沿って複数配置され得るようにスポンジ部材２６の長さが調整されている。従って、スポンジ部材２６が破損した場合、全ての隙間落下物吸着具２４ではなくそのスポンジ部材２６を有する隙間落下物吸着具２４のみを交換すれば良い。
【００２１】
また、スポンジ部材２６には、エプロン側に開口する磁石収容用凹部３０が形成されており、磁石２８はエプロン２２側に露出している。この構成により、磁石収容用凹部３０に収容された磁石２８はエプロン２２に直接に吸着するので、隙間落下物吸着具２４のエプロン２２への吸着力を強大なものにすることができる。
【００２２】
なお、乗りかご１２が戸開して利用者（乗員）が乗降する際に移動する場所は、エレベータドアが開いたときの開口部中央位置が最も多い。従って、隙間落下物吸着具の少なくとも１つが、エレベータドアが開いたときの開口部中央位置に配置されていることで、開口部中央位置で落下物を高確率で吸着することができる。
【００２３】
また、本実施形態ではかご側シルに隙間落下物吸着具３４を配置する例で説明したが、乗場側シルに隙間落下物吸着具３４を設置することも可能である。
【００２４】
［第２実施形態］
次に、第２実施形態を説明する。図３は、本実施形態の隙間落下物吸着具を示す斜視図である。
【００２５】
本実施形態の隙間落下物吸着具３４は、第１実施形態に比べ、スポンジ部材３６の上部形状が異なっている。本実施形態では、スポンジ部材３６は、乗りかご出入口側の部位の上部３８（以下、単に上部３８という）の高さが他の部位よりも高いスポンジ部材３６にされており、見掛け上、スポンジ部材２６の上部を一部くり抜いた形状になっている。この結果、エプロン２２と上部３８との間に落下物収容用凹部４０が形成されており、この落下物収容用凹部４０に落下物が収容可能となっている。
【００２６】
これにより、隙間Ｇから落下した落下物は、落下物収容用凹部４０に収容され易くなり、落下物収容用凹部４０から落下することが上部３８によって妨げられる。
【００２７】
また、スポンジ部材３６の上部３８以外の上面である主上面ＭＵは、平坦面であり、上部３８の基端側（すそ野側）は湾曲凹状になだらかに広がって主上面ＭＵに連続している。
【００２８】
これにより、上部３８近くに落下した落下物が跳ね上がる方向はエプロン側に向けた斜め上方になるので、落下物収容用凹部４０に収容され易くなる。
【００２９】
［第３実施形態］
次に、第３実施形態を説明する。図４は、本実施形態の隙間落下物吸着具を示す斜視図である。本実施形態の隙間落下物吸着具５４では、第２実施形態に比べ、スポンジ部材５６の形状が異なっている。スポンジ部材５６には、第２実施形態で説明したスポンジ部材３６に比べ、主上面ＭＵ側を上方から一部くり抜いた形状することで、湾曲凹部５８が形成されている。
【００３０】
これにより、スポンジ部材５６の上面に落下した落下物は湾曲凹部５８に収容され易い。そして、湾曲凹部５８の底面と磁石２８との間隔は、第２実施形態に比べて短いので、第２実施形態よりも落下物が磁力で吸着固定され易くなる。
【００３１】
また、湾曲凹部５８はかご敷居１６の長手方向に長い形状とされている。そして、湾曲凹部５８の長手方向外側端５８ｅは、スポンジ部材５６の長手方向外側端５６ｅよりもやや長手方向内側に位置している。この結果、湾曲凹部５８に収容された落下物が隙間落下物吸着具５４の長手方向外側へ移動して隙間落下物吸着具５４から落下することを妨げることができる構成になっている。
【００３２】
［第４実施形態］
次に、第４実施形態を説明する。図５は、本実施形態の隙間落下物吸着具を示す斜視図である。本実施形態の隙間落下物吸着具６４では、第２実施形態に比べ、スポンジ部材６６の上下方向長さが長くされている。そして、スポンジ部材６６の長手方向両端部に配置された磁石２８同士の間であって磁石２８よりも下方位置に磁石６８が配置されており、スポンジ部材６６には、この磁石６８が配置され得るように磁石収容用凹部７０が形成されている。
【００３３】
本実施形態により、磁石２８の軸回りの回転モーメントが隙間落下物吸着具６４に作用しても、第２実施形態に比べ、隙間落下物吸着具６４がエプロン２２から剥がれ落ちることを大きく防止することができる。
【００３４】
なお、磁石６８の寸法は特に限定されず、磁石２８と同寸法であってもよいし、磁石２８よりも大きすることも小さくすることも可能である。また、磁石６８の配置高さを磁石２８と同じ高さにすることも可能である。
【００３５】
以上、いくつかの実施形態を説明したが、これらの実施形態は、例として提示したものであり、発明の範囲はそれらに限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３６】
１０…エレベータ、１２…乗りかご、１４ａ、１４ｂ…かごドア、１６…かご敷居、２０…乗場敷居、２２…エプロン、２４…隙間落下物吸着具、２６…スポンジ部材、２８…磁石、３０…磁石収容用凹部、３４…隙間落下物吸着具、３６…スポンジ部材、３８…上部、４０…落下物収容用凹部、５４…隙間落下物吸着具、５６…スポンジ部材、５６ｅ…長手方向外側端、５８…湾曲凹部、５８ｅ…長手方向外側端、６４…隙間落下物吸着具、６６…スポンジ部材、６８…磁石、７０…磁石収容用凹部、ＭＵ…主上面。
【要約】
【課題】簡単な構成で、乗場敷居とかご敷居との隙間からの落下物を高い確率で拾得することができる隙間落下物吸着具、および、それを備えたエレベータを提供することを課題とする。
【解決手段】隙間落下物吸着具２４は、エレベータの乗場敷居とかご敷居との隙間を塞ぐスポンジ部材２６と、スポンジ部材２６に入れられた磁石３０と、を備える。そして、隙間の長手方向に沿って隙間落下物吸着具２４が複数配置され得るようにスポンジ部材２６の長さが調整されている。そして、隙間落下物吸着具２４は、磁石２８の磁力により、乗りかごに設けられたエプロンに吸着固定可能にされている。
【選択図】図２【図１】
0005969075.tif 000002
【図２】
0005969075.tif 000003
【図３】
0005969075.tif 000004
【図４】
0005969075.tif 000005
【図５】
0005969075.tif 000006